(57)【要約】【課題】キー操作を不要とし、利便性を図ること。【解決手段】トッププレートを介して調理容器から放射された赤外線エネルギーを検出する赤外線センサと、各種情報を表示する液晶表示手段と、液晶表示手段を照明するバックライトと、赤外線センサの出力情報に基づいてバックライトを制御するバックライト制御手段を備え、赤外線センサの出力情報が変化した場合には、バックライトが点灯する事で、前記液晶表示手段が見えるようになり、従来必要だったキー操作が不要となり利便性を高める事ができることとなる。【選択図】図１
2009211861.tif 000002
【特許請求の範囲】
【請求項１】
調理容器を載置するトッププレートと、前記トッププレートを介して前記調理容器から放射された赤外線エネルギーを検出する赤外線センサと、各種情報を表示する液晶表示手段と、前記液晶表示手段を照明するバックライトと、前記赤外線センサの出力情報に基づいて前記バックライトを制御するバックライト制御手段を備える誘導加熱調理器。
【請求項２】
前記バックライト制御手段は前記赤外線センサが検出した赤外線エネルギーが変化すると前記バックライトを点灯する請求項１に記載の誘導加熱調理器。
【請求項３】
前記バックライト制御手段は前記赤外線センサが検出した赤外線エネルギーが所定時間変化しないと前記バックライトを消灯する請求項１に記載の誘導加熱調理器。
【請求項４】
前記赤外線センサの出力情報に基づいて前記バックライトを制御するか否かを切り替えるバックライト制御切入手段を備える請求項１から３のいずれか１項に記載の誘導加熱調理器。
【請求項５】
前記赤外線センサの出力情報に基づいて前記バックライトを制御する時にユーザに前記バックライトを制御した事を報知する報知手段を備える請求項１から４のいずれか１項に記載の誘導加熱調理器。
【請求項６】
前記赤外線センサの出力情報に基づいて前記バックライトを制御する時にユーザに前記バックライトを制御した事を報知するか否かを切り替える報知切入手段を備える請求項１から５のいずれか１項に記載の誘導加熱調理器。
【請求項７】
照明機器と通信を行う通信手段と、前記照明機器の点灯／消灯を通知する情報を受信してから所定時間内は前記赤外線センサの出力情報に基づいて前記バックライトを制御しない照明効果除去手段を備える請求項１から６のいずれか１項に記載の誘導加熱調理器。
【請求項８】
請求項１から７のいずれかに記載の誘導加熱調理器の少なくとも１つをコンピュータに実行させるためのプログラム。
【発明の詳細な説明】
【技術分野】
【０００１】
本発明は、一般家庭、レストラン及びオフィスなどで使用される誘導加熱調理器およびそのプログラムに関するものである。
【背景技術】
【０００２】
従来、この種の誘導加熱調理器は、誘導加熱調理器の状態をユーザに分かり易く報知する為にバックライトを備えた液晶表示手段を備え、消費電力低減の為に誘導加熱調理器を不使用時にはバックライトを消灯し、ユーザからのキー操作に従って点灯している（例えば、特許文献１参照）。
【０００３】
また、鍋底の温度を精度良く検出する為にトッププレートの下面に赤外線センサを備える誘導加熱調理器が知られている（例えば、特許文献２参照）。
【特許文献１】特開２００３−２２３９７６号公報
【特許文献２】特開２００４−２２７９７６号公報
【発明の開示】
【発明が解決しようとする課題】
【０００４】
しかしながら、前記従来の構成では、ユーザがバックライトを点灯させて液晶表示手段を見るにはキー操作が必要となるので、その分操作が多くなり利便性が損なわれるという課題を有していた。
【０００５】
本発明は、前記従来の課題を解決するもので、従来必要だったキー操作が不要となり利便性を高める事ができる誘導加熱調理器およびそのプログラムを提供することを目的とする。
【課題を解決するための手段】
【０００６】
前記従来の課題を解決するために、本発明の誘導加熱調理器およびそのプログラムは、調理物を加熱する調理容器を載置するトッププレートと、前記トッププレートを介して前記調理容器から放射された赤外線エネルギーを検出する赤外線センサと、各種情報を表示する液晶表示手段と、前記液晶表示手段を照明するバックライトと、前記赤外線センサの出力情報に基づいて前記バックライトを制御するバックライト制御手段を備えるよう構成したものである。
【０００７】
これによって、従来必要だったキー操作が不要となり利便性を高める事ができる。
【発明の効果】
【０００８】
本発明の誘導加熱調理器およびそのプログラムは、前記赤外線センサの出力情報が変化した場合には、バックライトが点灯する事で、前記液晶表示手段が見えるようになり、従来必要だったキー操作が不要となり利便性を高める事ができる。
【０００９】
また、赤外線センサの出力情報が変化しない場合には、前記バックライトが消灯し、ユーザが特別な操作をする事無く消費電力を低減させる事ができる。
【発明を実施するための最良の形態】
【００１０】
第１の発明は、調理物を加熱する調理容器を載置するトッププレートと、前記トッププレートを介して前記調理容器から放射された赤外線エネルギーを検出する赤外線センサと、各種情報を表示する液晶表示手段と、前記液晶表示手段を照明するバックライトと、前
記赤外線センサの出力情報に基づいて前記バックライトを制御するバックライト制御手段を備えるよう構成している。
【００１１】
これによって本発明は、ユーザは前記調理容器を前記トッププレートの上面に載置すると近傍の照明機器等から放射される赤外線が遮断され、前記調理容器から放射される赤外線エネルギーを検出するようになり、前記赤外線センサが検出する赤外線エネルギーが変化する。また、ユーザが前記調理容器を前記トッププレートの上面から取り除くと前記調理容器から放射される赤外線エネルギーは検出しなくなり、近傍の照明機器等から放射される赤外線エネルギーを検出するようになり、前記赤外線センサが検出する赤外線エネルギーが変化する。これらにより前記赤外線センサの出力情報が変化する為、前記バックライトが点灯し、前記液晶表示手段が見えるようになり、従来必要だったキー操作が不要となり利便性を高める事ができる。
【００１２】
また、前記調理容器が前記トッププレートの上面に載置された状態が続くと前記赤外線センサは前記調理容器から放射される赤外線エネルギーを検出し続ける為、前記赤外線センサが検出する赤外線エネルギーは変化しない。また、前記調理容器が前記トッププレートの上面に載置されていない状態が続くと、近傍の照明機器等から放射される赤外線エネルギーを検出し続ける為、前記赤外線センサが検出する赤外線エネルギーは変化しない。これらにより前記赤外線センサの出力情報が変化しない為、前記バックライトが消灯し、ユーザが特別な操作をする事無く消費電力を低減させる事ができる。
【００１３】
また、鍋底の温度を精度良く検出する為にトッププレートの下面に赤外線センサを備える誘導加熱調理器に適応すれば、同じ赤外線センサを用いる事が可能であり低コストで本発明を実現できる。
【００１４】
第２の発明は、特に第１の発明において、前記バックライト制御手段は前記赤外線センサが検出した赤外線エネルギーが変化すると前記バックライトを点灯するよう構成している。
【００１５】
これによって本発明は、ユーザは前記調理容器を前記トッププレートの上面に載置すると近傍の照明機器等から放射される赤外線が遮断され、前記調理容器から放射される赤外線エネルギーを検出するようになり、前記赤外線センサが検出する赤外線エネルギーが変化する。また、ユーザが前記調理容器を前記トッププレートの上面から取り除くと前記調理容器から放射される赤外線エネルギーは検出しなくなり、近傍の照明機器等から放射される赤外線エネルギーを検出するようになり、前記赤外線センサが検出する赤外線エネルギーが変化する。これらにより前記赤外線センサの出力情報が変化する為、前記バックライトが点灯し、前記液晶表示手段が見えるようになり、従来必要だったキー操作が不要となり利便性を高める事ができる。
【００１６】
第３の発明は、特に第１の発明において、前記バックライト制御手段は前記赤外線センサが検出した赤外線エネルギーが所定時間変化しないと前記バックライトを消灯するよう構成している。
【００１７】
これによって本発明は、前記調理容器が前記トッププレートの上面に載置された状態が続くと前記赤外線センサは前記調理容器から放射される赤外線エネルギーを検出し続ける為、前記赤外線センサが検出する赤外線エネルギーは変化しない。また、前記調理容器が前記トッププレートの上面に載置されていない状態が続くと、近傍の照明機器等から放射される赤外線エネルギーを検出し続ける為、前記赤外線センサが検出する赤外線エネルギーは変化しない。これらにより前記赤外線センサの出力情報が変化しない為、前記バックライトが消灯し、ユーザが特別な操作をする事無く消費電力を低減させる事ができる。
【００１８】
第４の発明は、特に第１から３の発明において、前記赤外線センサの出力情報に基づいて前記バックライトを制御するか否かを切り替えるバックライト制御切入手段を備えるよう構成している。
【００１９】
これによって本発明は、例えば頻繁に調理容器の交換をするユーザはその度に前記バックライトが点灯／消灯すると煩わしい為、前記バックライト制御手段を動作させないよう切り替える事で煩わしさが解消し利便性を高める事ができる。
【００２０】
第５の発明は、特に第１から４の発明において、前記赤外線センサの出力情報に基づいて前記バックライトを制御する時にユーザに前記バックライトを制御した事を報知する報知手段を備えるよう構成している。
【００２１】
これによって本発明は、前記バックライト制御手段が前記バックライトを点灯／消灯した事をユーザが故障と誤解する可能性がある為、バックライトを制御した事を報知する事で誤解を無くす事が可能となる。
【００２２】
第６の発明は、特に第１から５の発明において、前記バックライト制御手段が前記バックライトを制御する時にユーザに前記バックライトを制御した事を報知するか否かを切り替える報知切入手段を備えるよう構成している。
【００２３】
これによって本発明は、前記赤外線センサの出力情報に基づいて前記バックライトを制御する事を理解しているユーザにとっては前記報知手段の動作は無意味で煩わしい為、前記報知手段を動作させないよう切り替える事で煩わしさが解消し利便性を高める事ができる。
【００２４】
第７の発明は、特に第１から６の発明において、照明機器と通信を行う通信手段と、前記照明機器の点灯／消灯を通知する情報を受信してから所定時間内は前記赤外線センサの出力情報に基づいて前記バックライトを制御しない照明効果除去手段を備えるよう構成している。
【００２５】
これによって本発明は、前記トッププレートの上面に前記調理容器が載置されていない時に誘導加熱調理器の近傍の前記照明機器が点灯／消灯すると、前記照明機器から放射される赤外線エネルギーが変化する為、前記赤外線センサの出力情報も変化し誤作動の原因となる。しかし、前記照明機器が点灯／消灯してから所定時間内は前記赤外線センサの出力情報に基づいて前記バックライトを制御しない事で、前記照明機器の点灯／消灯の効果を除去する事が可能となり、前記バックライト制御手段の性能を向上させる事ができる。
【００２６】
第８の発明は、特に第１から７のいずれかの発明の誘導加熱調理器の少なくとも１つをコンピュータに実行させるためのプログラムを提供するものである。
【００２７】
プログラムであるので、電気・情報機器、コンピュータ、サーバ等のハードリソースを協働させて本発明の誘導加熱調理器の少なくとも一部を容易に実現することができる。また記録媒体に記録したり通信回線を用いてプログラムを配信したりすることでプログラムの配布・更新やそのインストール作業が簡単にできる。
【００２８】
以下、本発明の実施の形態について、図面を用いて一実施の形態について詳細に説明する。なお、この実施の形態によって本発明が限定されるものではない。
【００２９】
（実施の形態１）
図１は、本発明の第１の実施の形態における誘導加熱調理器およびそのプログラムを概略的に示す構成説明図である。
【００３０】
図１において、誘導加熱調理器１００は被加熱物を収納し加熱する調理容器１０１と、外郭ケース１０２と、外郭ケース１０２の上部に備えられ調理容器１０１を載置するトッププレート１０３と、トッププレート１０３を介して調理容器１０１から放射された赤外線エネルギーを検出する赤外線センサ１０４と、各種情報を表示すると共にユーザからの操作を受け付けるタッチパネルを備える液晶表示手段１０５と、液晶表示手段１０５を照明するバックライト１０６と、赤外線センサ１０４の出力情報に基づいてバックライト１０６を制御するバックライト制御手段１０７と、赤外線センサ１０４の出力情報を記憶する記憶手段１０８と、誘導加熱調理器１００を制御する誘導加熱調理器制御手段１０９と、調理容器１０１を加熱する誘導磁界を発生させる加熱コイル１１０と、赤外線センサ１０４の出力情報に基づいて加熱コイル１１０に印加する高周波電流を制御する加熱制御手段１１１で構成している。
【００３１】
なお、調理容器１０１にはフライパンを、外郭ケース１０２には金属ケースを、トッププレート１０３にはガラス板を、赤外線センサ１０４にはフォトダイオードを、液晶表示手段１０５にはＬＣＤ（Ｌｉｑｕｉｄ  Ｃｒｙｓｔａｌ  Ｄｉｓｐｌａｙ）を、バックライト１０６にはＬＥＤ（Ｌｉｇｈｔ  Ｅｍｉｔｔｉｎｇ  Ｄｉｏｄｅ）を、バックライト制御手段１０７と誘導加熱調理器制御手段１０９と加熱制御手段１１１にはマイクロコンピュータを、記憶手段１０８にはＲＡＭ（Ｒａｎｄｏｍ  Ａｃｃｅｓｓ  Ｍｅｍｏｒｙ）を用いる事でこの構成を容易に実現できる。
【００３２】
以上のように構成された誘導加熱調理器およびそのプログラムについて、以下その動作、作用を説明する。
【００３３】
図２は本発明の実施の形態１における誘導加熱調理器の動作シーケンスを示す図である。
【００３４】
まず、ユーザが誘導加熱調理器１００の主電源（図は省略）を入れた事を誘導加熱調理器制御手段１０９が受け付けると（Ｓ１０１）、誘導加熱調理器制御手段１０９はバックライト制御手段１０７を動作させ、バックライト制御手段１０７は赤外線センサ１０４の出力情報を取得し記憶手段１０８に記憶させる（Ｓ１０２）。そして所定時間間隔を開けた後に再度バックライト制御手段１０７は赤外線センサ１０４の出力情報を取得し記憶手段１０８に記憶させる（Ｓ１０３）。
【００３５】
バックライト制御手段１０７はＳ１０２とＳ１０３で取得した出力情報を比較し、変化があるかどうかを判定する（Ｓ１０４）。ユーザが調理容器１０１をトッププレート１０３の上面に載置すると近傍の照明機器等（図は省略）から放射される赤外線が遮断され、調理容器１０１から放射される赤外線エネルギーを検出するようになり、赤外線センサ１０４が検出する赤外線エネルギーが変化する。また、ユーザが調理容器１０１をトッププレート１０３の上面から取り除くと調理容器１０１から放射される赤外線エネルギーは検出しなくなり、近傍の照明機器等（図は省略）から放射される赤外線エネルギーを検出するようになり、赤外線センサ１０４が検出する赤外線エネルギーが変化する。つまり、ユーザが調理容器１０１をトッププレート１０３の上面に載置する、あるいは取り除くと赤外線センサ１０４が検出する赤外線エネルギーが変化する。
【００３６】
Ｓ１０４で変化が無かった場合は、Ｓ１０３に戻り変化があるまでＳ１０３からＳ１０４を繰り返す。Ｓ１０４で変化が有った場合は、バックライト制御手段１０７がバックライト１０６を点灯させる（Ｓ１０５）。これによりユーザは液晶表示手段１０５を見る事
が可能となる。
【００３７】
この時、誘導加熱調理器制御手段１０９は液晶表示手段１０５に加熱調理開始キーを表示させる（図は省略）。そしてユーザによって加熱調理開始キーが操作されるまで待機する（Ｓ１０６）。加熱調理開始キーの操作を受け付けると、誘導加熱調理器制御手段１０９は加熱コイル１１０へ高周波電流を印加し、加熱調理を開始する（Ｓ１０７）。
【００３８】
この時、誘導加熱調理器制御手段１０９は液晶表示手段１０５に加熱調理停止キーを表示させる（図は省略）。そしてユーザによって加熱調理停止キーが操作されるまで待機する（Ｓ１０８）。加熱調理停止キーの操作を受け付けると、誘導加熱調理器制御手段１０９は加熱コイル１１０への高周波電流の印加を停止し、加熱調理を停止する（Ｓ１０９）。
【００３９】
その後、誘導加熱調理器制御手段１０９はバックライト制御手段１０７を動作させ、バックライト制御手段１０７は赤外線センサ１０４の出力情報を取得し記憶手段１０８に記憶させる（Ｓ１１０）。そして所定時間間隔を開けてＳ１１１と同じ動作を繰り返す（Ｓ１１１、１１２）。
【００４０】
バックライト制御手段１０７はＳ１１０とＳ１１１、Ｓ１１２で取得した出力情報を比較し、変化があるかどうかを判定する（Ｓ１１３）。調理容器１０１がトッププレート１０３の上面に載置された状態が続くと赤外線センサ１０４は調理容器１０１から放射される赤外線エネルギーを検出し続ける為、赤外線センサ１０４が検出する赤外線エネルギーは変化しない。また、調理容器１０１がトッププレート１０３の上面に載置されていない状態が続くと、近傍の照明機器等（図は省略）から放射される赤外線エネルギーを検出し続ける為、赤外線センサ１０４が検出する赤外線エネルギーは変化しない。つまり、ユーザが調理容器１０１を動かさなくなり、調理容器１０１がトッププレート１０３の上面に載置した状態が続く、あるいは取り除いた状態が続くと赤外線センサ１０４が検出する赤外線エネルギーは変化しなくなる。
【００４１】
Ｓ１１３で変化があった場合は、Ｓ１１２に戻り変化があるまでＳ１１２からＳ１１３を繰り返す。Ｓ１１３で変化がなかった場合は、バックライト制御手段１０７がバックライト１０６を消灯させる（Ｓ１１４）。これによりユーザが特別な操作をする事無く消費電力を低減させる事ができる。
【００４２】
なお、Ｓ１１３ではＳ１１０からＳ１１２の３回分の赤外線センサ１０４の出力情報を比較したが、２回以上であれば何回であってもよい。
【００４３】
また、赤外線センサ１０４の出力情報に基づいてバックライト１０６を制御するか否かを切り替えるバックライト制御切入手段を備えるよう構成してもよい。
【００４４】
図３は本発明の実施の形態１におけるバックライト制御切入手段を備える誘導加熱調理器を概略的に示す構成説明図である。
【００４５】
図３で誘導加熱調理器１００は赤外線センサ１０４の出力情報に基づいてバックライト１０６を制御するか否かを切り替えるバックライト制御切入手段１１２で構成している。他の手段については図１と同じなので詳細な説明は省く。
【００４６】
なお、バックライト制御切入手段１１２にはマイクロコンピュータを用いる事でこの構成を容易に実現できる。
【００４７】
ユーザは加熱調理を開始する前に予めバックライト制御切入手段１１２の設定をしておく。誘導加熱調理器制御手段１０９は液晶表示手段１０５にバックライト制御切入キーを表示させる（図は省略）。誘導加熱調理器制御手段１０９はユーザのバックライト制御切入キーの操作を受け付けると、バックライト制御切入手段１１２を動作させ、バックライト制御手段１０７を動作させるか否かの設定を切り替える。
【００４８】
そして、バックライト制御手段１０７はバックライト１０６の点灯／消灯を切り替える前にバックライト制御切入手段１１２の設定を確認し、赤外線センサ１０４の出力情報に基づいてバックライト１０６を制御する設定の時には、バックライト１０６の点灯／消灯を切り替え、赤外線センサ１０４の出力情報に基づいてバックライト１０６を制御しない設定の時には、バックライト１０６の点灯／消灯を切り替えない。
【００４９】
また、前記赤外線センサの出力情報に基づいてバックライト１０６を制御する時にユーザにバックライト１０６を制御した事を報知する報知手段と、ユーザに赤外線センサ１０４の出力情報に基づいてバックライト１０６を制御した事を報知するか否かを切り替える報知切入手段を動作させるか否かを切り替える報知切入手段とを備えるよう構成してもよい。
【００５０】
図４は、本発明の実施の形態１における報知手段と報知切入手段を備える誘導加熱調理器を概略的に示す構成説明図である。
【００５１】
図４で誘導加熱調理器１００は赤外線センサ１０４の出力情報に基づいてバックライト１０６を制御する時にユーザにバックライト１０６を制御した事を報知する報知手段１１３と、ユーザに赤外線センサ１０４の出力情報に基づいてバックライト１０６を制御した事を報知するか否かを切り替える報知切入手段１１４で構成している。他の手段については図３と同じなので詳細な説明は省く。
【００５２】
なお、報知手段１１３と報知切入手段１１４にはマイクロコンピュータを用いる事でこの構成を容易に実現できる。
【００５３】
ユーザは加熱調理を開始する前に予め報知切入手段１１４の設定をしておく。誘導加熱調理器制御手段１０９は液晶表示手段１０５に報知切入キーを表示させる（図は省略）。誘導加熱調理器制御手段１０９はユーザの報知切入キーの操作を受け付けると、報知切入手段１１４を動作させ、報知手段１１３を動作させるか否かの設定を切り替える。
【００５４】
そして、報知手段１１３はバックライト１０６の点灯／消灯を切り替える前に報知切入手段１１４の設定を確認し、報知手段１１３を動作させる設定の時には、バックライト１０６を点灯／消灯した事を報知し、報知手段１１３を動作させない設定の時には、バックライト１０６を点灯／消灯した事を報知しない。
【００５５】
なお、報知手段１１３にスピーカを用いて、音声によりバックライト１０６を点灯／消灯した事を報知するよう構成してもよい。
【００５６】
（実施の形態２）
図５は、本発明の第２の実施の形態における誘導加熱調理器を概略的に示す構成説明図である。
【００５７】
図５は、レンジフード２０３を制御するレンジフード制御手段２０４と、トッププレート１０３の上面を照射する照明手段２０５と、誘導加熱調理器１００と赤外線通信を行うレンジフード通信手段２０６とユーザからの操作を受け付けるレンジフード操作手段２０
７とを備えるレンジフード２０３（照明機器）と、レンジフード２０３と赤外線通信を行う誘導加熱調理器通信手段２０２（通信手段）と、照明手段２０５の点灯／消灯を通知する情報を受信してから所定時間内は赤外線センサ１０４の出力情報に基づいてバックライト１０６を制御しない照明効果除去手段２０１を備える誘導加熱調理器１００で構成している。他の手段については本発明の実施の形態１と同じなので詳細な説明は省く。
【００５８】
なお、照明効果除去手段２０１とレンジフード制御手段２０４にはマイクロコンピュータを、誘導加熱調理器通信手段２０２とレンジフード通信手段２０６には赤外線通信モジュールを、照明手段２０５には白熱電球を、レンジフード操作手段２０７にはタクトスイッチを用いる事でこの構成を容易に実現できる。
【００５９】
図６は本発明の実施の形態２におけるにおける誘導加熱調理器とレンジフードの動作及び通信シーケンスを示す図である。
【００６０】
レンジフード２０３において、照明手段２０５消灯時に、レンジフード制御手段２０４はレンジフード操作手段２０７の照明キー（図は省略）の操作を受け付けると（Ｓ２０１）、照明手段２０５を点灯させた後（Ｓ２０２）、レンジフード通信手段２０６を介して誘導加熱調理器１００へ照明点灯通知を送信する（Ｓ２０３）。
【００６１】
一方、誘導加熱調理器１００において、誘導加熱調理器制御手段１０９が誘導加熱調理器通信手段２０２を介してレンジフード２０３から照明点灯通知を受信すると、誘導加熱調理器制御手段１０９は照明効果除去手段２０１を照明変化中に設定する（Ｓ２０４）。バックライト制御手段１０７は照明効果除去手段２０１が照明変化中に設定されている時は、バックライト１０６の点灯／消灯を行わない。
【００６２】
そして所定時間（例えば３秒）経過を待ち（Ｓ２０５）、その後誘導加熱調理器制御手段１０９は照明効果除去手段２０１の照明変化中の設定を解除する（Ｓ２０６）。バックライト制御手段１０７は照明効果除去手段２０１が照明変化中に設定されていない時は、バックライト１０６の点灯／消灯を行う。
【００６３】
また、レンジフード２０３において、照明手段２０５点灯時に、レンジフード制御手段２０４はレンジフード操作手段２０７の照明キー（図は省略）の操作を受け付けると（Ｓ２０７）、照明手段２０５を消灯させた後（Ｓ２０８）、レンジフード通信手段２０６を介して誘導加熱調理器１００へ照明消灯通知を送信する（Ｓ２０９）。
【００６４】
一方、誘導加熱調理器１００において、誘導加熱調理器制御手段１０９が誘導加熱調理器通信手段２０２を介してレンジフード２０３から照明消灯通知を受信すると、誘導加熱調理器制御手段１０９は照明効果除去手段２０１を照明変化中に設定する（Ｓ２１０）。
【００６５】
そして所定時間（例えば３秒）経過を待ち（Ｓ２１１）、その後誘導加熱調理器制御手段１０９は照明効果除去手段２０１の照明変化中の設定を解除する（Ｓ２１２）。
【００６６】
なお、照明機器をレンジフードとしたが、他の照明機器であっても構わないし、照明機器は複数であっても構わない。
【００６７】
なお、本実施の形態で説明した手段は、ＣＰＵ（またはマイクロコンピュータ）、ＲＡＭ、ＲＯＭ、記憶・記録装置、Ｉ／Ｏなどを備えた電気・情報機器、コンピュータ、サーバ等のハードリソースを協働させるプログラムの形態で実施してもよい。プログラムの形態であれば、磁気メディアや光メディアなどの記録媒体に記録したりインターネットなどの通信回線を用いて配信したりすることで新しい機能の配布・更新やそのインストール作
業が簡単にできる。
【産業上の利用可能性】
【００６８】
本発明の誘導加熱調理器およびそのプログラムによれば、これによって本発明は、ユーザは前記調理容器を前記トッププレートの上面に載置する、または、ユーザが前記調理容器を前記トッププレートの上面から取り除くと、前記バックライトが点灯し、前記液晶表示手段が見えるようになり、従来必要だったキー操作が不要となり利便性を高める事ができき、また、前記調理容器が前記トッププレートの上面に載置された状態が続く、または、前記調理容器が前記トッププレートの上面に載置されていない状態が続くと、前記バックライトを消灯し、ユーザが特別な操作をする事無く消費電力を低減させる事ができるので、他の加熱調理器にも適用できる。
【図面の簡単な説明】
【００６９】
【図１】本発明の実施の形態１における誘導加熱調理器を概略的に示す構成説明図
【図２】本発明の実施の形態１における誘導加熱調理器の動作シーケンスを示す図
【図３】本発明の実施の形態１におけるバックライト制御切入手段を備える誘導加熱調理器を概略的に示す構成説明図
【図４】本発明の実施の形態１における報知手段と報知切入手段を備える誘導加熱調理器を概略的に示す構成説明図
【図５】本発明の実施の形態２における誘導加熱調理器を概略的に示す構成説明図
【図６】本発明の実施の形態２における誘導加熱調理器とレンジフードの動作及び通信シーケンスを示す図
【符号の説明】
【００７０】
１０１  調理容器
１０３  トッププレート
１０４  赤外線センサ
１０５  液晶表示手段
１０６  バックライト
１０７  バックライト制御手段
１１２  バックライト制御切入手段
１１３  報知手段
１１４  報知切入手段
２０１  照明効果除去手段
２０２  誘導加熱調理器通信手段（通信手段）
２０３  レンジフード（照明機器）
【図１】
2009211861.tif 000003
【図２】
2009211861.tif 000004
【図３】
2009211861.tif 000005
【図４】
2009211861.tif 000006
【図５】
2009211861.tif 000007
【図６】
2009211861.tif 000008